(57)【要約】      （修正有）【課題】多数（数千ないし数万）の実験動物をケージ内で飼育する目的が停電の状態でも有効に達成することができる、実験動物ケージに用いるフィルターを提供する。【解決手段】動物実験ケージ７に用いるフィルターは、内芯２に一つのバルブ透孔板３を設け、透孔板３に通気孔４があり、この通気孔４に通気孔４に合わせる錘ロッド５が設置されている。停電で風力が無くなった状態では、錘ロッド５は自動に落下し、通気濾過の通路が自動に開かれ、実験動物は窒息することがなくなる。【選択図】図４
0003183133.tif 000002
【実用新案登録請求の範囲】
【請求項１】
内芯に一つのバルブ透孔板を設置し、前記バルブ透孔板に通気孔があり、前記通気孔に当該通気孔に合わせる錘ロッドが設置されていることを特徴とする、主に本体と本体の中に内芯を含む、動物実験ケージに用いるフィルター。
【請求項２】
前記通気孔の直径は４〜６ｍｍで、前記錘ロッドは前記バルブ透孔板の上面または下面に設置され、錘ロッドの一端は前記通気孔側に固定されているとともに他端は自由で、前記錘ロッドの大きさは前記通気孔の大きさに合わせ、前記錘ロッドは厚さが０．２〜０．５ｍｍのポリエステル薄膜で作られていることを特徴とする、前記請求項１記載の動物実験ケージに用いるフィルター。
【請求項３】
前記内芯側面の壁に一対の対称な凹み溝が設置され、前記バルブ透孔板は挿入部材と固定部材とからなり、前記挿入部材と前記固定部材とは垂直に交差してＴ字の形状を呈し、前記挿入部材の厚みは前記凹み溝の幅に合わせてあることを特徴とする、前記請求項１又は２記載の動物実験ケージに用いるフィルター。
【請求項４】
前記内芯は、内芯支えフレームと内芯支えフレームの中に設置されているデュプレックス濾過膜との連接により形成してあり、前記内芯支えフレームはそれぞれ楕円断面を有する内枠と外枠との連接により形成してあり、前記内枠と前記外枠とにそれぞれ対応する通気孔が設けられ、前記内枠と前記外枠との間に前記デュプレックス濾過膜が設けられていることを特徴とする、前記請求項１〜３のいずれか一項に記載の動物実験ケージに用いるフィルター。
【請求項５】
前記デュプレックス濾過膜は、一対の単膜の濾過膜が空気層を挟むことにより形成してあり、前記デュプレックス濾過膜は、のこぎり歯の形状を呈する濾過層に折り畳まれて前記内枠と前記外枠との間に配置されているとともに前記内枠および前記外枠と緊密に接触していることを特徴とする、前記請求項４記載の動物実験ケージに用いるフィルター。
【考案の詳細な説明】
【技術分野】
【０００１】
本考案は、実験動物ケージの技術分野に関連し、具体的に言えば、実験ケージに用いる自動制御弁フィルターに関する。
【背景技術】
【０００２】
従来の動物実験用ケージの多くは、ケージの頂部に蓋付きの通気口を設け、停電時の通気に用いる。この設計の目的は、突然の停電で送風モータの運転停止によりケージへの空気運送が無くなってケージ内の動物が密封な環境に陥り、その時間が長くなるとケージ内の動物が低酸素で窒息する危険を防止するためである。その方法は突然の停電に遭った時、手動作業によりケージ頂部通気口の蓋を開けることである。しかし、このような手作業では短時間以内にひとつずつ多数（数千ないし数万）の蓋を開けることができない。例えば、一つ蓋を開けるのに３秒かかるとすれば、１分間では２０個の蓋を開けることができ、時間間隔無しに２０００個の蓋を開けるとすれば、１００分間、即ち、１．６時間が必要となり、その間に、蓋を開ける順番が後のケージ内の動物は早くに低酸素で窒息してしまう。よって、現有のケージ頂部に蓋付きの通気口を設ける方法は、根本的に停電の対応や実験動物保護の目的を達成することができない。
【考案の概要】
【考案が解決しようとする課題】
【０００３】
本考案は、改善された実験ケージに用いるフィルターを提供することを目的とする。それは、従来技術における、停電になると、速やかに実験動物の保護のための対処ができない面での重大な欠陥を克服することができる。
【課題を解決するための手段】
【０００４】
上記の目的を実現するため、本考案は、内芯に一つのバルブ透孔板を設置し、そのバルブ透孔板に通気孔があり、この通気孔に通気孔に合わせる錘ロッドが設置されていることを特徴とする、主に本体と本体の中に内芯を含む、動物実験ケージに用いるフィルターである。
通電で使われた時、外モータの気流により本考案のフィルターの内芯透孔板にある錘ロッドバルブは自動に閉められる。それが閉められた後にケージ外の空気は通気孔を介してケージに入れない。停電の時、外モータが送風せず、風力が無くなった状態では、錘ロッドは自動に落下し、通気濾過の通路が自動に開かれ、実験動物は窒息することがなくなる。
【考案の効果】
【０００５】
この構造により、停電状態でも、多数（たとえば数千ないし数万）の実験動物をケージ内で飼育する目的が達成できる。
【図面の簡単な説明】
【０００６】
【図１】本考案実施例の構造図。
【図２】図１の側面図。
【図３】本考案の一つの使用状態参考図。
【図４】図３におけるＡ−Ａ方向の構造図。
【図５】図３におけるＢ−Ｂ方向の構造図。
【図６】本考案のもう一つの使用状態参考図。
【考案を実施するための形態】
【０００７】
以下では、この考案の実施の形態を、添付図面を参照して詳細に説明する。
各添付図における標記は以下の通りである。
１は本体、２は内芯、３はバルブ透孔板、４は通気孔、５は錘ロッド、６はデュプレックス濾過膜、７はケージである。
本考案の自動制御弁フィルターは、主に、本体１と本体１の中に設置してある内芯２とを含む。内芯２に一つのバルブ透孔板３を設け、透孔板３に通気孔４があり、通気孔４に合わせる錘ロッド５を透孔板３に設ける。通気孔４の直径は４〜６ｍｍで、錘ロッド５は、帯状であり、透孔板３の上面側または下面側に設置され、錘ロッド５の一端（一縁）は通気孔４側に固定されているとともに他端（他縁）は自由で、錘ロッド５の大きさは通気孔４の大きさに合わせ、錘ロッド５は厚さが０．２〜０．５ｍｍのポリエステル薄膜で作られている。内芯２の内側面の壁に一対の対称な凹み溝２ａ，２ｂが設置され、バルブ透孔板３は挿入部材３１と固定部材３２とからなり、挿入部材３１と固定部材３２とは垂直に交差してＴ字の形状を呈し、挿入部材３１の厚みは凹み溝２ａ，２ｂの幅に合わせる。バルブ透孔板３は、内芯２内の空間を上面側と下面側とに仕切っている。
【０００８】
内芯２は、内芯支えフレーム２０と内芯支えフレーム２０の中に設置されているデュプレックス濾過膜６との連接により形成し、内芯支えフレーム２０はそれぞれ楕円断面の内枠２１と外枠２２との連接により形成し、内枠２１と外枠２２とにそれぞれ対応する通気孔が設けられ、内枠２１と外枠２２との間にデュプレックス濾過膜６が設けられている。デュプレックス濾過膜６は、一対の単膜の濾過膜が空気層を挟むことにより形成し、デュプレックス濾過膜６は、のこぎり歯の形状を呈する濾過層に折り畳まれてから内枠２１と外枠２２との間に配置するとともに内枠２１・外枠２２と緊密に接触する。バルブ透孔板３は、内枠２１内の空間を一方面側と他方面側とに仕切っている。
【０００９】
製作に際しては、バルブ透孔板３には多くの直径５mmの小さな通気孔４が開けられ、０．２〜０．５mm厚さの錘ロッド５（ポリエステル薄膜）は１本ずつ熱圧力のかけによりバルブ透孔板３と一体化し、それから、バルブ透孔板３はフィルター内芯２の凹み溝２ａ，２ｂに挿入されてフィルター本体１の後部の蓋１ａに設置し、フィルター本体１と一体化するとともに自動制御弁フィルターを形成する。
【００１０】
本考案の自動制御弁フィルターは実験ケージ７の頂部に取付けられる。ケージ７は入口７Ａと出口７Ｂとが分かれるので、２つの異なる自動制御弁フィルターを選定する。その区別は、錘ロッド５とバルブ透孔板３の圧力受け方向が違い、即ち入口７Ａの個所の自動制御弁フィルターの錘ロッド５はバルブ透孔板３の下部に設置されている（図４参照）。内芯２の内枠２１内の空間は、バルブ透孔板３によって２つに仕切られており、そのうち、錘ロッド５が配置されている下側の空間が入口７Ａと連通している。
【００１１】
風が正常に入った際、錘ロッド５が風力を受けて上昇することで上部の通気孔４が自動に閉められ、ケージ７内の清潔な空気流れを保証する。すなわち、入口７Ａから内芯２に流れ込んだ空気は、錘ロッド５側の空間から、デュプレックス濾過膜６および内芯２の通気孔を通る経路５１に従って、本体１の下面からケージ７に流入する。
停電の際、風が止まれば、錘ロッド５は自動に落下して通気孔４が開かれ、ケージ７内の空気流れを保証する。すなわち、内芯２の内枠２１内において、透孔板３の上下の空間が通気孔４を介して連通する。それによって、ケージ７外に露出した本体１の上面、透孔板３の通気孔、デュプレックス濾過膜６および内芯２の通気孔を通る経路５２に従って、ケージ７の内外間の空気流れを保証できる。
【００１２】
風の出口７Ｂに位置している自動制御弁フィルターの錘ロッド５はバルブ透孔板３の上部に設置されていて（図５参照）、風が正常に外へ排出される時、錘ロッド５は上がり、通気孔４が開かれる。内芯２の内枠２１内の空間は、バルブ透孔板３によって２つに仕切られており、そのうち、錘ロッド５が配置されていない下側の空間が、出口７Ｂと連通している。ケージ７内の空気は、ケージ７内に露出する本体１の下面から内芯２へと流入し、デュプレックス濾過膜６を通って、経路６１に従って出口７Ｂに至るか、又は経路６２に従って、本体１の上面からケージ７外に排出される。停電した時、錘ロッド５は自動に落下し、通気孔４は閉められる。
【符号の説明】
【００１３】
１  本体
２  内芯
３  バルブ透孔板
４  通気孔
５  錘ロッド
６  デュプレックス濾過膜
７  ケージ
【図１】
0003183133.tif 000003
【図２】
0003183133.tif 000004
【図３】
0003183133.tif 000005
【図４】
0003183133.tif 000006
【図５】
0003183133.tif 000007
【図６】
0003183133.tif 000008